(57)【特許請求の範囲】
【請求項１】
外科装置を管セットに接続するための結合システムであって、
ａ）外科装置のハウジングと動作可能に関連付けられたコネクタを備え、
前記コネクタは、複数の同心環状壁によってそのなかに画定された複数の同軸流路を有し、
前記コネクタは、前記外科装置の前記ハウジングの中心軸に垂直に延びる長手方向軸を有し、
前記コネクタの前記同軸流路は、前記コネクタの前記長手方向軸と軸方向に一直線に整列され、
前記複数の同軸流路は、内側環状壁によって画定された中央流路と、中間環状壁と前記内側環状壁との間に画定された中間流路と、外側環状壁と前記中間環状壁との間に画定された外側流路とを含み、
ｂ）管セットと動作可能に関連付けられた結合器を備え、
前記結合器は、前記結合器が前記コネクタに対して回転係合することにより前記コネクタの前記同軸流路と緊密に係合する大きさを有する複数の同心環状壁を含む第１の端部を有する略円筒形の本体を有し、
前記結合器の前記本体の前記第１の端部は、
内側環状壁によって画定され、前記コネクタの前記中央流路と流体連通を確立する内側流路と、
中間環状壁と前記内側環状壁との間に画定され、前記結合器の前記内側流路を囲み、前記コネクタの前記中間流路と流体連通を確立する中間流路と、
外側環状壁と前記中間環状壁との間に画定され、前記結合器の前記中間流路を囲み、前記コネクタの前記外側流路と流体連通を確立する外側流路と
を含む複数の流路を有し、
前記結合器の前記内側流路の前記内側環状壁は、前記結合器の前記中間環状壁及び前記外側環状壁を越えて延び、前記コネクタの前記中央流路に対して先導機能を果たす、
結合システム。
【請求項２】
外科装置を管セットに接続するための結合システムであって、
ａ）外科装置のハウジングと動作可能に関連付けられたコネクタを備え、
前記コネクタは、複数の同心環状壁によってそのなかに画定された複数の同軸流路を有し、
前記コネクタは、前記外科装置の前記ハウジングの中心軸に垂直に延びる長手方向軸を有し、
前記コネクタの前記同軸流路は、前記コネクタの前記長手方向軸と軸方向に一直線に整列され、
前記複数の同軸流路は、内側環状壁によって画定された中央流路と、中間環状壁と前記内側環状壁との間に画定された中間流路と、外側環状壁と前記中間環状壁との間に画定された外側流路とを含み、
ｂ）管セットと動作可能に関連付けられた結合器を備え、
前記結合器は、前記結合器が前記コネクタに対して回転係合することにより前記コネクタの前記同軸流路と緊密に係合する大きさを有する複数の同心環状壁を含む第１の端部を有する略円筒形の本体を有し、
前記結合器の前記本体の前記第１の端部は、
内側環状壁によって画定され、前記コネクタの前記中央流路と流体連通を確立する内側流路と、
中間環状壁と前記内側環状壁との間に画定され、前記結合器の前記内側流路を囲み、前記コネクタの前記中間流路と流体連通を確立する中間流路と、
外側環状壁と前記中間環状壁との間に画定され、前記結合器の前記中間流路を囲み、前記コネクタの前記外側流路と流体連通を確立する外側流路と
を含む複数の流路を有し、
前記結合器の前記内側環状壁の外径は、前記コネクタの前記内側環状壁の内径よりも小さく、
前記結合器の前記中間環状壁の外径は、前記コネクタの前記中間環状壁の内径よりも小さく、
前記結合器の前記外側環状壁の外径は、前記コネクタの前記外側環状壁の内径よりも小さい、
結合システム。
【請求項３】
管セットをトロカールに接続するための結合システムであって、
ａ）中心軸を画定しコネクタを含むハウジングを有するマルチルーメン型のトロカールを備え、
前記コネクタは、前記ハウジングの前記中心軸から半径方向外向きに延び複数の同心環状壁によってそのなかに画定された複数の同軸流路を有し、
前記コネクタは、前記トロカールの前記ハウジングの前記中心軸に垂直に延びる長手方向軸を有し、
前記コネクタの前記同軸流路は、前記コネクタの前記長手方向軸と軸方向に一直線に整列され、
前記コネクタの前記複数の同軸流路は、内側環状壁によって画定された中央流路と、中間環状壁と前記内側環状壁との間に画定された中間流路と、外側環状壁と前記中間環状壁との間に画定された外側流路とを含み、
ｂ）並列に配置された複数の管を含むマルチルーメン管セットを備え、
ｃ）前記トロカールの前記コネクタの前記同軸流路と選択的に嵌合するよう適合され構成された第１の端部と、前記管セットの前記複数の管に取り付けられるよう適合され構成された第２の端部とを有する略円筒形の本体を含む結合器を備え、
前記結合器の前記本体の前記第１の端部は、
内側環状壁によって画定され、前記コネクタの前記中央流路と流体連通を確立する内側流路と、
中間環状壁と前記内側環状壁との間に画定され、前記結合器の前記内側流路を囲み、前記コネクタの前記中間流路と流体連通を確立する中間流路と、
外側環状壁と前記中間環状壁との間に画定され、前記結合器の前記中間流路を囲み、前記コネクタの前記外側流路と流体連通を確立する外側流路と
を含む複数の流路を有し、
前記結合器の前記本体の前記第１の端部は、前記結合器の前記本体の内壁と前記結合器の前記第１の端部における前記外側流路との間に画定された環状係合溝を含み、
前記環状係合溝は、前記結合器が前記コネクタと回転的に係合したとき、前記コネクタの前記外側環状壁にあり半径方向外向きに突き出したカム突起と相互作用するための半径方向内向きに突き出したカム溝を含む、
結合システム。
【発明の詳細な説明】
【技術分野】
【０００１】
関連出願の相互参照
本出願は、２０１２年１２月１９日出願の米国特許仮出願第６１／７３９，３９１号の優先権を主張し、この出願の開示は参照によりその全体が本明細書に援用される。
【０００２】
本発明は腹腔鏡下手術に関し、より具体的には、腹腔鏡下手術で使用される外科用アクセス装置にマルチルーメン管セットを着脱可能に接続するための結合器に関する。
【背景技術】
【０００３】
腹腔鏡下または「低侵襲」の手術手技は、胆嚢摘出、虫垂切除、ヘルニア修復および腎摘出などの手術を行う際に普通に使用されるようになってきている。腹腔鏡下手術の利点には、患者の切開創の縮小、感染の可能性の減少および回復時間の短縮がある。腹（膜）腔内におけるこうした手術は、通常、患者の腹腔内への腹腔鏡器具の挿入を容易にするトロカールまたはカニューレと呼ばれる装置を介して行われる。
【０００４】
さらに、このような腹腔鏡下手術は、炭酸ガスなどの加圧流体で腹（膜）腔を満たすかまたは「送気」して、いわゆる気腹を生成するステップを含む。送気は、送気流体を供給するために設けられた（「カニューレ」または「トロカール」とも呼ばれる）外科用アクセス装置あるいは送気（べレス）針などの別個の送気装置を使用して行われ得る。手術器具の気腹内への挿入は、気腹を維持するために送気ガスの実質的な損失なしに行われるのが望ましい。
【０００５】
典型的な腹腔鏡下手術において、外科医は、外科用アクセス装置（通常は装置内部に配置された別個のインサータまたはオブチュレータ）を使用して、それぞれの大きさが通常約１２ｍｍ未満の３〜４つの小さい切開部を作成する。インサータは挿入後に取り除かれ、トロカールは腹腔内に挿入される器具のアクセスを可能にする。多くの場合、典型的なトロカールは、外科医がその中で処置を施すための開かれた内部空間を確保できるように腹腔に送気する手段を提供する。  
【０００６】
トロカールは、トロカールと使用中の手術器具との間を密封して腹腔内の圧力を維持し、かつ手術器具の少なくとも最小限の自由な動きを可能にする手段を提供する必要がある。このような器具には、例えば、鋏、把持器具、閉塞器具、焼灼装置、カメラ、光源およびその他の手術器具が含まれる。密封要素または機構は、送気ガスの漏出を防止するために通常トロカール上に設けられる。密封要素または機構は一般的に、トロカールを通過する手術器具の外面の周りを密封するために、比較的柔軟な材料からなるダックビル型弁を含む。
【０００７】
さらに、腹腔鏡下手術においては、電気焼灼器やその他の技術（例えば、高調波メス）が気腹内に煙およびその他のデブリス（残屑）を生成して、内視鏡などからの画像を曇らせ、また内視鏡などの表面を覆うことにより視認性を低下させる。様々な外科用送気装置および排煙装置が当該技術分野で知られている。
【０００８】
米国コネチカット州ミルフォードのサージクェスト，インコーポレーテッド社は、従来のメカニカルシールを使用せずに気腹へのアクセスを可能にする外科用アクセス装置またはトロカールを開発し、また当該アクセス装置に十分な圧力および流量を提供するための関連装置を開発しており、その全体または一部が米国特許第７，８５４，７２４号明細書に記述され、その開示は参照によりその全体が本明細書に援用される。
【０００９】
サージクェストは、また、標準的または専門的な外科的アクセス装置やべレス針などのその他の機器への送気、標準的または専門的な外科的アクセス装置を介した排煙および送気流体の再循環や濾過などの特殊機能を含む、複数の外科用ガス供給機能を実行可能な複合システムおよびその関連装置と方法を開発した。このような複合システムおよびその関連装置の例が米国特許出願公開第２０１２／０１５０１０１号明細書に開示されており、参照によりその全体が本明細書に援用される。
【００１０】
複合システムでは一般的に多流路を有する使い捨てフィルタカートリッジの使用が必要であることが、米国特許第７，９７６，５９８号および米国特許出願公開第２０１３／０２３１６０６号明細書に開示されており、これらの全体が参照により本明細書に援用される。こうした使い捨てフィルタカートリッジは送気装置内に配置され、例えば、米国特許出願公開第２０１２／０２４５５１１号明細書（参照によりその全体が本明細書に援用される）に開示の装置のような外科用アクセス装置やトロカールに連通するマルチルーメン管セットに接続される。
【００１１】
管セットと外科用アクセス装置すなわちトロカールとの間の機械的結合は一般的にねじ結合であり、しばしば複数の流路の精密な位置合わせが求められる。この接続の達成には途方もない時間が掛かり、ある程度の熟達度が求められる。従って、これらの欠点を克服できる、外科用アクセス装置にマルチルーメン管セットを着脱可能に接続するための結合システムを提供することは非常に有益となるであろう。
【発明の概要】
【発明が解決しようとする課題】
【００１２】
本発明は、管セットを外科装置に接続するための新規で有用な結合システムに関する。本発明のシステムは、コネクタを含むハウジングを有する外科装置と、コネクタに対する結合器の回転係合を介して外科装置のコネクタに選択的に接続するように適合され構成された本体を有する結合器を備える管セットとを含む。  
【００１３】
好ましくは、結合器が、コネクタとの結合器の回転係合の間、所定量のトルクが適用されることを確保するように適合され構成されたラチェット型クラッチ機構を含む。結合器が、結合器の本体から独立して形成され、結合器の本体に対して回転するように設置された環状把持鍔を含む。ラチェット型クラッチ機構の第１の部分は環状鍔の内周面に関連付けられ、ラチェット型クラッチ機構の第２の部分は結合器の本体の外周面に関連付けられる。
【００１４】
本発明の一実施形態では、外科装置は、ハウジングから延び同軸の内側および外側ルーメンを含むカニューレ部分を備えるマルチルーメン型トロカールである。別の実施形態では、外科装置は、一方の端部にハウジングを有し反対側の端部にシングルルーメン型トロカールに接続するためのルアー継手を有するシングルルーメンを含む第２の管セットである。
【００１５】
本発明は、また、コネクタを含むハウジングを有するマルチルーメン型トロカールのための新規で有用な結合システムに関する。コネクタは、複数の同心環状壁によってその中に画定された複数の同軸流路を有する。本システムは、さらに、並列に配置された複数の管を有するマルチルーメン管セットを備える。本システムは、また、トロカールのコネクタの同軸流路と選択的に嵌合するように適合され構成された第１の端部と、管セットの並列管に取り付けられるように適合され構成された第２の端部とを有するほぼ円筒形の本体を備える結合器を含む。
【００１６】
好ましくは、結合器本体の第２の端部が、管セットの管と嵌合するための複数の並列管継手を備え、結合器本体の第１の端部が、内側流路と内側流路を取り囲む中間流路と中間流路を取り囲む外側流路とを備える。
【００１７】
結合器本体の第２の端部は、本体の第１の端部の内側流路に連通する第１の管継手と、本体の第１の端部の中間流路に連通する第２の管継手と、本体の第１の端部の外側流路に連通する第３の管継手とを備える。
【００１８】
結合器本体の第１の端部が、結合器本体の内壁と結合器の第１の端部の外側流路との間に画定された環状係合溝を備え、環状係合溝は、結合器がトロカールのコネクタに回転係合するとき、トロカールのコネクタの外側環状壁上に半径方向外向きに突き出したカム従動子と相互作用するための半径方向内向きに突き出したカム面を備える。
【００１９】
好ましくは、結合器本体の外周部が、結合器のトロカールのコネクタとの回転係合を容易にするための環状把持部を備える。一実施形態では、環状把持部は結合器本体と一体に形成される。
【００２０】
別の実施形態では、環状把持部が結合器本体から分離して形成され、結合器本体に対して回転するように取り付けられた環状鍔を備える。好ましくは、環状把持部が、トロカールのコネクタとの結合器の回転係合の間に所定量のトルクが適用されるのを確保するように構成されたラチェット型クラッチ機構の少なくとも一部を含む。  
【００２１】
ラチェット型クラッチ機構の第１の部分は、環状鍔の内周面に関連付けられ、ラチェット型クラッチ機構の第２の部分は結合器本体の外周面に関連付けられる。結合器は管セットの一方の端部に関連付けられ、使い捨てフィルタカートリッジは管セットの反対側の端部に関連付けられる。
【００２２】
本発明は、また、例えば、化学処理、農業、自動車または航空宇宙産業を含む医療機器分野以外のマルチフロー用途に使用可能な結合システムに関する。このような用途では、結合システムは、複数の同心環状壁によってその内側に画定された複数の同軸流路を有するコネクタと、コネクタの同軸流路と緊密に係合する大きさに形成された複数の同心環状壁を含む第１の端部を有するほぼ円筒形の本体を含むカップリングとを備える。
【００２３】
結合器本体の第１の端部は、内側流路と内側流路を囲む中間流路と中間流路を囲む外側流路とを含む。結合器本体は、結合器本体の第１の端部の内側流路に連通する第１の管継手と、結合器本体の第１の端部の中間流路に連通する第２の管継手と、結合器本体の第１の端部の外側流路に連通する第３の管継手とを備える第２の端部を有する。
【００２４】
本発明の結合システムのこれらのおよびその他の特徴やその製造方法ならびに使用方法が、以下に説明するいくつかの図面と併せて後述する本発明の好ましい実施形態の実施可能な説明から当業者にさらに容易に理解されるであろう。
【図面の簡単な説明】
【００２５】
本発明が属する技術分野に精通する技術者が、過度な実験をすることなしに本発明の結合システムの作成方法および使用方法を理解できるように、いくつかの図面を参照して以下に好ましい実施形態を詳細に説明する。
【００２６】
【図１】トロカールに管セットを接続するように適合され構成された本発明の結合アセンブリの斜視図である。
【図２】管セットの端部に取り付けられた本発明の結合器の斜視図である。
【図３】管セットから取り外された図２に示す結合器の斜視図である。
【図４】図１に示す結合アセンブリの部分図である。
【図５】結合アセンブリの前端面図である。
【図６】結合アセンブリの後端面図である。
【図７】説明の便宜上部品を分離した結合アセンブリの分解斜視図である。
【図８】トロカールのコネクタに結合器を回転係合するための手順を示す。
【図９】トロカールのコネクタに結合器を回転係合するための手順を示す。
【図１０】トロカールのコネクタに結合器を回転係合するための手順を示す。
【図１１】結合器がトロカールのコネクタと回転係合する間に所定量のトルクが印加されるのを確保するためのラチェット型クラッチ機構を示すために一部を切り取った結合器の斜視図である。
【図１２】結合器とトロカールのコネクタとの回転係合を示す図１１と同様の斜視図である。
【図１３】ラチェット型クラッチ機構の爪とラックの相互作用を示す。
【図１４】ラチェット型クラッチ機構の爪とラックの相互作用を示す。
【図１５】ラチェット型クラッチ機構の爪とラックの相互作用を示す。
【図１６】管セットがフィルタアセンブリに動作可能に接続し、コネクタが第２の管セットに関連付けられる、本発明の結合システムの一実施形態の斜視図である。
【図１７】図１６に示す結合システムの部分拡大図である。
【図１８】本発明の別の実施形態に従って構成された、一体型の本体を備えるがラチェット型クラッチ機構は含まない結合アセンブリの斜視図である。
【図１９】本発明の別の実施形態に従って構成された、同じくラチェット型クラッチ機構を含まない結合アセンブリの斜視図である。
【発明を実施するための形態】
【００２７】
次に図面に言及するが、類似の参照番号は、本明細書に開示される主題の類似の構造的特徴および/または要素を示すものとし、図１に示すのは、本発明の好ましい実施形態に従って構成された、外科装置に管セットを着脱可能に結合するためのシステムであり、参照番号１００で表される。
【００２８】
図１に示すように、結合システム１００は、コネクタ部２１２を有する外科装置２００と結合器３１２を備える管セット３００とを含み、結合器３１２は、結合器３１２またはその一部とコネクタ２１２との回転係合を介して外科装置２００のコネクタ２１２と選択的に結合するように適合され構成される。図１に示す本発明の実施形態では、外科装置２００は、コネクタ２１２を支持するハウジング部２１４と、ハウジング部２１４から下方に延びかつ同軸の内側および外側ルーメン（図示せず）を含むカニューレ部２１６とを備えるマルチルーメン型トロカールであり、例えば米国特許第７，８５４，７２４号明細書に開示されており、参照によりその全体が本明細書に援用される。
【００２９】
さらに図１を参照すると、コネクタ２１２は、外科装置（トロカール）２００のハウジング部２１４と一体的に形成され、ハウジング部２１４から半径方向外向きに延びている。コネクタ２１２は、３つの同心環状壁によりそれらの中に画定された複数の流路を有するほぼ円筒形の構造である。より具体的には、コネクタ２１２は、内側環状壁２３２により画定された中央流路２２２と、中間環状壁２３４と内側環状壁２３２との間に画定された中間流路２２４と、外側環状壁２３６と中間環状壁２３４との間に画定された外側流路２２６とを含む。
【００３０】
コネクタ２１２の流路２２２、２２４および２２６のそれぞれは、トロカール装置２００のハウジング部２１４内に形成された別個の流体経路に連通する。例えば、流路の１つが腹圧検知/送気経路に連通し、別の流路が加圧ガス経路に連通し、もう１つの流路が再循環戻り経路に連通する。トロカール２００のこれらの特徴は米国特許第７，８５４，７２４号明細書により詳細に説明されているため、本明細書では詳しく説明しない。
【００３１】
コネクタ２１２はまた、管セット３００の結合器３１２に関連付けられた対応する係合構造と回転自在に相互作用するための、周方向に離間した複数のカム突起２４０を含み、その詳細については以下に説明する。例示的な実施形態として４つのカム突起を示している。しかしながら、それより少ない突起またはそれより多い突起も使用可能である。カム突起２４０は、コネクタ２１２の外側環状壁２３６の外表面から半径方向外向きに突き出している。
【００３２】
ゴム製の安全蓋または栓２５０が、コネクタ２１２の３つの流路２２２、２２４および２２６を閉鎖するためにコネクタ２１２にテザーで繋がれている。安全蓋２５０は、トロカール２００を使用していないときにトロカール２００の流路に汚染物質が入り込むのを防止する。テザーは、蓋２５０がトロカール２００から移動するのを防止する。
【００３３】
図２を参照すると、管セット３００の結合器３１２は、遠位端部３１４ａと近位端部３１４ｂを有する細長いほぼ円筒形の本体３１４を含む。以下に詳述するように、環状把持部３１６は、使用中の結合器３１２とコネクタ２１２の回転自在な係合を容易にするために近位端部３１４ｂに近接する本体３１４の周囲を囲む。
【００３４】
結合器本体３１４の遠位端部３１４ａは、４つの同心環状壁によって画定される複数の流路溝および流路を備える。より具体的に言えば、結合器本体３１４の遠位端部３１４ａは、内側環状壁３３２により画定された中央流路３２２、中間環状壁３３４と内側環状壁３３２との間に画定された中間流路３２４、および外側環状壁３３６と中間環状壁３３４との間に画定された外側流路３２６を含む。さらに、結合器本体３１４の遠位端部３１４ａは、包囲環状壁３３８と外側環状壁３３６との間に画定された包囲環状係合溝３２８を含む。
【００３５】
図４を参照すると、管セット３００の結合器３１２がトロカール２００のコネクタ２１２と嵌合または係合できるように、結合器３１２の内側環状壁３３２の外径は、コネクタ２１２の内側環状壁２３２の内径より小さくなっている。同様に、結合器３１２の中間環状壁３３４の外径は、コネクタ２１２の中間環状壁２３４の内径より小さく、結合器３１２の外側環状壁３３６の外径はコネクタ２１２の外側環状壁２３６の内径より小さくなっている。さらに、結合器３１２の包囲環状壁３３８の内径は、コネクタ２１２の外側環状壁２３６の外径より大きくなっている。これらの環状壁の相対サイズ処理は、コネクタ２１２と結合器３１２の相補的密着係合を容易にする。
【００３６】
さらに、結合器３１２の内側流路３２２の内側環状壁３３２は、コネクタ２１２と結合器３１２との嵌め合い係合の間、コネクタ２１２内の中央流路２２２に対して先導機能を果たすために、結合器３１２の遠位端部３１４ａから前方に延びる。
【００３７】
さらに図４を参照すると、結合器本体３１４の包囲環状壁３３８の内面は、包囲環状壁３３８から半径方向内側に突き出した複数の螺旋状カム溝３４０を含む。図８〜図１０に示すように、結合器３１２がコネクタ２１２と回転自在に係合する間、螺旋状カム溝３４０は、コネクタ２１２の外側環状壁２３６の外面から半径方向外向きに突き出るカム突起２４０と相互作用するように形成され構成される。
【００３８】
図３を参照すると、結合器本体３１４の近位端部３１４ｂは、押出成形のトリプルルーメン可撓性管３６０の長手方向に動作可能に関連付けられる。より具体的には、結合器本体３１４は、トリプルルーメン管３６０の第１、第２および第３の並列ルーメン３６２、３６４および３６６とそれぞれ嵌合または結合するための第１、第２および第３の並列管継手３５２、３５４および３５６を含む。結合器本体３１４の管継手とトリプルルーメン管３６０のルーメンとの接続は、締り嵌めであってもよいし、または医療機器の技術分野で周知のその他の手段により固着されてもよい。
【００３９】
図５および図６に示すように、結合器本体３１４の近位端部３１４ｂ内の管継手３５２、３５４および３５６は、結合器本体３１４の遠位端部３１４ａ内の流路３２２、３２４および３２６と直接的に流体連動する。より具体的には、第１の管継手３５２が接合開口部３４２を介して中央流路３２２と直接的に流体連動し、第２の管継手３５４が接合開口部３４４を介して中間流路３２４と直接的に流体連動し、および第３の管継手３５６が結合開口部３４６を介して外側流路３２６と直接的に流路連動する。従って、トリプルルーメン管３６０のルーメン３６２、３６４および３６６は、それぞれ、流路３２２、３２４および３２６と流体連動する。
【００４０】
図７を参照すると、結合器３１２は、管セット３００の結合器３１２とトロカール２００のコネクタ２１２との回転係合の間、所定量のトルクが付与されることを保証するように構成された、参照番号５００で示されるラチェット型クラッチ機構を含む。ラチェット型クラッチ機構５００は、回転可能な環状把持部３１６と結合器本体３１４の遠位端部３１４ａの包囲環状壁３３８とを備える。
【００４１】
より具体的には、周方向に離間した複数の偏向可能な歯止めアーム３６２が  結合器本体３１４の包囲環状壁３３８から後方に延びている。図１１および図１２に示すように、歯止めアーム３６２は、結合器３１２の環状把持部３１６が結合器本体３１４に対して回転する際、環状把持部３１６の内側環状溝３６６内に形成される周方向に離間した複数の傾斜面３６４と相互作用するように適合され構成される。
【００４２】
使用時、環状把持部３１６を反時計回り方向（すなわち、図１３の矢印表示Ｒの方向）に回転させると、傾斜面３６４が歯止めアーム３６２を（図１４の矢印表示「Ｆ」の方向に）偏向させる。図１５に示すように、傾斜面３６４が歯止めアーム３６２を過ぎて移動すると、歯止めアーム３６２は通常の偏向しない位置に戻る。その際、歯止めアーム３６２は可聴クリック音を発生させて必要量のトルクが結合器に適用されたことをユーザに知らせる。一旦そうなると、結合器本体３１４の包囲環状壁３３８に対する環状把持部３１６のさらなる回転が結合を過トルクすることがなくなる。
【００４３】
図１６および図１７に示すのは、本発明の結合システム１００の別の実施形態であり、結合器３１２がトリプルルーメン管セット３６０および使い捨て型フィルタカートリッジ６００と共に図示されている。フィルタカートリッジ６００は、例えば米国特許第７，９７６，５９８号明細書に開示されているタイプである。本実施形態において、コネクタ２１２は第２の管セット６５０に関連付けられる。第２の管セット６５０は、一方の端部にハウジング６５４を有し、反対側の端部にシングルルーメン型トロカール（図示せず）と接続するためのルアー継手６５６を有するシングルルーメン６５２を含む。
【００４４】
図１８に示すのは、本発明に従って構成された参照番号７１２で表される結合器の別の実施形態である。結合器７１２は実質的に結合器３１２と同様であるが、環状把持部７１６が結合器本体７１４に対して回転しない点が異なる。代わりに、環状把持部７１６は結合器本体７１４に対して固定位置を有する。本実施形態も前の実施形態同様にラチェット型クラッチ機構を備えていない。図１９に示す類似の結合器８１２もまた、結合器本体８１４に対して回転しない環状把持部８１６を含む。
【００４５】
本発明について、好ましい実施形態を参照して図示および説明してきたが、当業者は、添付の請求項により定義される本発明の精神及び範囲から逸脱することなく様々な変更および改変がなされ得ることを容易に理解するであろう。さらに、当業者は、本発明の結合システムは、医療機器分野以外のマルチフロー用途に使用できることを理解するであろう。 例えば、結合システムは、化学処理、農業、自動車または航空宇宙産業におけるマルチフロー用途に使用できる。 当業者は、また、別々の流体経路の各流体経路内の流体流の方向は、結合システムが使用されるマルチフロー用途に応じて異なることを理解すべきである。
【図１】
0006483619.tif 000002
【図２】
0006483619.tif 000003
【図３】
0006483619.tif 000004
【図４】
0006483619.tif 000005
【図５】
0006483619.tif 000006
【図６】
0006483619.tif 000007
【図７】
0006483619.tif 000008
【図８】
0006483619.tif 000009
【図９】
0006483619.tif 000010
【図１０】
0006483619.tif 000011
【図１１】
0006483619.tif 000012
【図１２】
0006483619.tif 000013
【図１３】
0006483619.tif 000014
【図１４】
0006483619.tif 000015
【図１５】
0006483619.tif 000016
【図１６】
0006483619.tif 000017
【図１７】
0006483619.tif 000018
【図１８】
0006483619.tif 000019
【図１９】
0006483619.tif 000020